(57)【要約】【課題】荷重制限が厳しいビル屋上やベランダ等でも四季を通じ誰でも簡単に播種し葉物野菜・花・木本類の栽培が可能で、風雨等による用土の飛散や流失がなく凹凸や突起物がある折板屋根等にでも設置が可能な植栽装置の開発。【解決手段】容器の外底に発泡スチロール板、内部底に余剰水の排水路と排水孔を形成した四角形容器とし、この容器内部に保水シート、植栽マット、その上に種子、苗床土（約１ｃｍ厚）の順に施工し、開口部全面に着脱自在な保温カバーと開閉可能なネット付ハウスを取付け、着脱自在なビニールシートで全体を覆った園圃栽培装置とし、四季を通じて種子から葉物野菜・花・木本類の栽培を可能とする。【選択図】図７
2010193771.tif 000002
【特許請求の範囲】
【請求項１】
外底に発泡スチロール板、内部に排水路と排水孔を形成した四角形容器の開口部全面に保温カバーと開閉可能な防虫ネットをハウス状に取付け、着脱自在なビニールシートで全体を覆い、該容器内に敷設した植栽マットに四季を通じ播種し、葉物野菜・花・木本類を栽培可能としたことを特徴とした園圃栽培装置。
【発明の詳細な説明】
【技術分野】
【０００１】
本発明は、屋外や室内で四季を通じ播種し、葉物野菜・花・木本類の栽培を可能とし、また屋上や屋根緑化としても利用できる植栽装置に関する。
【背景技術】
【０００２】
近年、地球環境を改善しようとビル屋上等のコンクリート面に緑化を推進することが奨励され、様々な工法による緑化が行なわれているが、草木による緑化の他に菜園を設置することが多くなっている。
【０００３】
しかし、屋上への緑化は様々なシステムや装置があり、土壌が薄くても生育するセダムを植栽した薄層緑化型から用土を大量に盛っての庭園型まで分けられ、様々実用化されている。それに反し屋上に菜園を形成する場合には、庭園型と同じく大量に盛土し田畑を作るか、容器内に多量の用土を収納させ菜園として利用するため、荷重制限を勘案すると既存の建物への設置は不可能に近く、前もって菜園を設置する範囲の荷重計算を行ない構築した建物でなければならなかった。
【０００４】
そこで、植物の根部を個別に植え替えることができる筒形のポット部を複数個備えたトレーとの組み合わせや筒形のポット部と見切り材との組み合わせをユニット化した植栽ユニットを荷重制限が厳しい屋上やベランダ等に配置して花壇や菜園としての実用化がされている。（特許文献１参照）。
しかし、従来の植栽ユニットは植栽用土と苗をトレー内に植え込み栽培するといった工法であるため、風当たりの強いビル屋上・屋根・ベランダ等では、風雨等による用土の飛散や流失の恐れがあり、また苗が出回らない時期には栽培が不可能であった。さらに、設置箇所が折板屋根のように凹凸やボルト等の突起物ある箇所には設置が不可能でもあった。
【先行技術文献】
【特許文献】
【０００５】
【特許文献１】特開２００４−３３０８７
【発明の概要】
【発明が解決しようとする課題】
【０００６】
そこで、荷重制限が厳しいビル屋上やベランダ及び室内等でも四季を通じ、誰でも簡単に播種し、葉物野菜・花・木本類の栽培が可能で、風雨等による用土の飛散や流失がなく
、凹凸や突起物がある折板屋根等にも設置が可能な植栽装置の開発。
【課題を解決するための手段】
【０００７】
植栽用土の飛散や流失を防止するために軽量で保水性と保肥力が高い植栽用土（ココピート、ピートモス、水苔、バーク堆肥、黒土の混合土に有機肥料、遅効性肥料、化成肥料を混合）を２ｃｍ〜５ｃｍ厚に圧縮形成し、腐食しにくい複数のシートで包んで縫製した植栽マットとする。
【０００８】
四角形容器の外底に発泡スチロール板を、内部底に余剰水の排水路と排水孔を形成した容器とし、この容器内に保水シート、植栽マットその上に種子、苗床土（約１ｃｍ厚）の順に施工し、開口部全面に着脱自在で透水と保温を兼ねた保温カバーと開閉可能な防虫ネットをハウス状に取付け、着脱自在なビニールシートで全体を覆った植栽容器とし、室内で使用する植栽容器にはキャスターを取付け、四季を通じ播種し葉物野菜・花・木本類の栽培を可能とする。
【発明の効果】
【０００９】
植栽用土を植栽マット化したことにより通常使用する植栽用土の五分の一以下の量で十分な栽培を行なうことが可能となり、大幅に植栽用土の減量が図れるとともに植栽容器も１０ｃｍ〜３０ｃｍ前後の高さとなり軽量化が図られ、従来工法に比べ安価でボルトが突出している折板屋根等でもボルトを植栽容器外底に形成した発泡スチロール板内に収容することにより、設置箇所に植栽容器を水平に安定設置することが可能となり、種子から葉物野菜・花・木本類の栽培（緑化）が容易に可能となった。
【００１０】
また、植栽用土を植栽マット化したことにより、風雨等による植栽用土の飛散や流失がなく、腐食しにくい材質で形成したことにより長期に渡り植栽マットの使用が可能で、植栽マットの交換も簡単に行なえる。
【００１１】
開口部全面を透水と保温を兼ねた保温カバーで覆い、さらに全体をビニールハウスで覆ったことにより、四季を通じて葉物野菜・花・木本類を種子から簡単に発芽効率が高く、生育も良く栽培することが可能となり移動する可能性が高い室内栽培でも植栽容器にキャスターを取付けたことによりスムーズな移動が可能となった。
【００１２】
余剰水の排水設備を備えているので溜水による植栽用土の腐敗が起こらず根腐れなどの病害の発生がなく、植栽容器全体を防虫ネットで覆い害虫の被害も防止でき、品質の良い作物が栽培できる。
【図面の簡単な説明】
【００１３】
【図１】植栽容器を示す斜視図である。
【図２】植栽容器内に種蒔きまでの施工手順を示した説明図である。
【図３】植栽容器の開口部を保温カバーで覆う状態を示す説明図である。
【図４】格子枠上にハウス型の骨組みを固定し、防虫ネットで覆った状態を示す防虫ネットハウスの斜視図である。
【図５】植栽容器に防虫ネットハウスを兆番と止金具で固定し、ネット付ハウスに形成したことを示す斜視図である。
【図６】ネット付ハウスと植栽容器全体を着脱自在なビニールシートで覆い植栽容器底部にキャスターを取付けた状態を示す斜視図である。
【図７】本発明の園圃栽培装置に栽培施工例を示す完成図である。
【発明を実施するための形態】
【実施例】
【００１４】
以下、本発明の実施例について図面を参照しながら説明する。
図１は、全体が長方形の箱型で高さが１０ｃｍ〜３０ｃｍ前後の植栽容器１を示す。
（イ）は、内部構造を示すもので余剰水を排水する排水孔２と排水孔に余剰水を誘導する排水誘導溝３が形成されおり、植栽容器底には（ロ）で示すように植栽容器裏面４に発泡スチロール板５を形成し、設置面との断熱と保護を図り、ボルトが突出している折板屋根等でもボルトを発泡スチロール板内に収容し、設置箇所に水平状に安定設置することを可能にした植栽容器本体である。
【００１５】
図２は、植栽容器１内に播種までの手順を示すもので、初めに水分を保水（貯水）する保水シート６、生育基盤土となる植栽マット７の順に設置し、充分に散水後該植栽マット上に葉物野菜等の種子８を一定間隔で播種し、その上に用土９を約１ｃｍ厚で覆土して苗床とする手順で植栽容器内に播種をする。
【００１６】
図３は、四季を通じ播種した種子の発芽効率を高め、発芽苗が植栽マットに定着するまでの間植栽容器開口部を覆うことにより生育が通常の栽培より著しく良く均一に生長する効果のある簡易な保温カバー１０を示す。（イ）は雨水などの水を通し破れにくく容器内
を保温するポリエステル製の不織布１１にＬ型縁枠１２を左右に取付け植栽容器の開口部左右に掛かり止めできるサイズに形成した保温カバー１０で、（ロ）は図２で播種した植
栽容器開口部に保温カバー１０をセットした状態を示したもので、Ｌ型縁枠１２が植栽容器１開口部の左右縁に係り止めされ取付け取外しがワンタッチで行なえる保温カバー１０である。
【００１７】
図４（イ）は、植栽容器開口部の縁周りと同サイズの格子枠１４にハウスの骨組となる鉄線１５を半円のトンネル状に複数固定し、上部に一本の鉄線を水平に渡し個々の半円状の鉄線と固定し、一体化させ強固なハウスの支柱を形成したハウス骨組枠１３とし、（ロ
）は、ハウス骨組枠全体に野鳥や害虫を防除するナイロン系ネット１６を形成した防虫ネットハウス１７である。
【００１８】
図５は、図３で示す保温カバーを形成した植栽容器１の開口部縁周りの上に図４で形成した防虫ネットハウス１７を開閉自在となる兆番と止金具１８で固定し、野鳥による掘り返しや害虫の被害を防除するネット付ハウス１９である。
【００１９】
図６は、図５で形成したネット付ハウス１９の全体を冬場等の低温時に着脱自在なビニール袋体２０で覆い、霜や雪による被害を防ぎ植栽容器内の保温性を高め作物等の栽培を可能とし、室内で使用する場合には植栽容器の底部にキャスター２１を取付け移動がスムーズに行なえるようにした植栽容器である。
【００２０】
図７は、植栽容器に図２から図６の手順で冬場に種から葉物野菜を栽培した実施例を示したものである。
【産業上の利用可能性】
【００２１】
少量の苗床土以外は土を使用せず薄層の植栽マットに四季を通じ播種し、葉物野菜・花・木本類を栽培できる植栽装置はベランダや屋上等の家庭菜園として、また屋根緑化の装置としてもこれから利用される可能性の高い園圃栽培装置である。
【符号の説明】
【００２２】
１  植栽容器
２  排水孔
３  排水誘導溝
４  植栽容器裏面
５  発泡スチロール板
６  保水シート
７  植栽マット
８  種子
９  用土
１０  保温カバー
１１  不織布
１２  Ｌ型縁枠
１３  ハウス骨組枠
１４  格子枠
１５  鉄線
１６  ナイロン系ネット
１７  防虫ネットハウス
１８  兆番と止金具
１９  ネット付ハウス
２０  ビニール袋体
２１  キャスター
【図１】
2010193771.tif 000003
【図２】
2010193771.tif 000004
【図３】
2010193771.tif 000005
【図４】
2010193771.tif 000006
【図５】
2010193771.tif 000007
【図６】
2010193771.tif 000008
【図７】
2010193771.tif 000009